(57)【要約】  装着対象者の身体の拘束度合いが低くなるように構成した落下式自動排泄物処理装置に関し、老人等の使用対象者の臀部及び陰部をカバーするおむつカバー部(１)と、これにセットする排便受け部(２)及び尿取りパッド(３)と、排便受け部(２)を通じて排出された便等を受け取って汚物容器４中に導くための排便排尿等導入管(５)と、その途中に挿入した弁部(６)と、臀部等の洗浄用の浄水を保管する浄水タンク(７)と、洗浄後の臀部等の乾燥に使用する温風を発生させる温風発生手段(８)と、各部の動作を制御する制御手段(９)とで構成したものであり、おむつカバー部(１)から突出する排便受け部(２)の排便管(２ｂ)が、ベッド(１０)の排便穴(１０ｈ)を通じてベッド(１０)下に突出し、排便排尿等導入管(５)の上部の漏斗状部(５ａ)に昇降自在及び傾斜可能に接続するところに特徴を有する。
2015008319.tif 000002
【特許請求の範囲】
【請求項１】
臀部対応位置付近に排便排尿用開口部を備えたおむつカバー部と、  前記おむつカバー部の内面側に配置する帯状ゴムシート部であって、一端部が円形開口を有する円形端部である帯状ゴムシート部、該帯状ゴムシート部の円形端部の円形開口の開口部縁を上端の開口部縁に接合固定した排便管、該排便管の上部内に連通させた送風管及び該送風管の途中に挿入し、先端を該排便管から帯状ゴムシート部側に突き出した送水管で構成した排便受け部と、  前記おむつカバー部の排便排尿用開口部にその内面側から前記排便管を挿入し、前記帯状ゴムシート部を該おむつカバー部の内面の下部側に配した状態で、該排便受け部の帯状ゴムシート部と該おむつカバー部の内面側との間に配する使い捨て用の尿取りパッドと、  この装置の使用者の横たわるベッドに開口した排便穴を通じて該ベッドの下方に垂下させた前記排便受け部の排便管を、該ベッドの下部に結合した上部の漏斗状部に、斜め向き挿入可能かつ昇降自在に挿入可能な排便排尿等導入管であって、下端を汚物容器に接続した排便排尿等導入管と、  該排便排尿等導入管の途中に挿入した弁部であって、落下する使用者の排便、排尿、洗浄排水又は排風をそれらの重量又は圧力を受けてそれらを検出すると共に、開口する弁部と、  前記送水管にポンプ装置を介して接続する加温装置を備えた浄水タンク及び前記送風管に接続する温風発生手段と、  前記弁部が、前記ポンプ装置又は温風発生手段の動作時以外に、開口した場合に、その開口後の一定時間の経過後に、前記送水管に設定量の温浄水を送り出し、その停止後に前記送風管に設定時間温風を送り出すように、前記ポンプ装置及び温風発生手段を制御する制御手段と、で構成した落下式自動排泄物処理装置。
【請求項２】
前記排便排尿等導入管の漏斗状部の上端を、前記ベッドの下部に、該ベッドの起立動作時に、水平に保持すべく、該ベッドに対して相対的に傾斜可能に取り付けた請求項１の落下式自動排泄物処理装置。
【請求項３】
前記送水管の途中に、その両側を着脱自在に接続するコネクタを挿入し、該コネクタの一方を、グリップ用筒体と、該グリップ用筒体にその先端から一定距離の後退状態で内装した環状磁石と、該環状磁石に背後から貫通状態に挿入固定した送水管を構成するホース部材とで構成し、該コネクタの他方を、グリップ用筒体と、該グリップ用筒体にその先端から一定距離の進出状態で内装した、前記コネクタの一方の環状磁石と逆極性の環状磁石と、該逆極性の環状磁石に、その背後から前記コネクタの一方のホース部材の貫通分だけ後退した位置まで挿入固定した送水管を構成するホース部材とで構成した請求項１又は２の落下式自動排泄物処理装置。
【発明の詳細な説明】
【技術分野】
【０００１】  本発明は、ベッドに寝たきりの老人や病人等の排便及び排尿を自動的に処理し、これらの老人等のこの装置を使用する者の臀部や陰部を清潔に保持することのできる落下式自動排泄物処理装置に関する。
【背景技術】
【０００２】  この種の排泄物処理装置としては種々の提案がある。  この種の装置は、概ね、人体の腰臀部を包囲するオムツ状部材と、該オムツ状部材に接続した洗浄水の供給手段と、該オムツ状部材に接続した該洗浄水及び汚物の排出手段と、排便及び排尿の検出手段と、該検出手段による排便又は排尿の検出結果に基づいて、前記洗浄水の供給手段及び乾燥用の送風手段等の動作を制御する制御手段とで構成されているものである。【０００３】  この種の装置には、前記オムツ状部材と人体との密着性の確保、排便、排尿の確実な検出、便や尿の確実な洗浄排出、人体へのこの装置の着脱の簡易性、この装置の対応する部位を装着した老人等の動作の自由性の確保、その他の問題があり、これらの問題を解決すべく、特許文献１及び２の提案がなされている。【０００４】  例えば、特許文献１では、前記オムツ状部材の、特に受便器との間の部位に浮輪状部材を介在させて身体との密着性を確保し、排便の処理中はその圧力を高めて洗浄水及び汚物が周縁部から漏出することがないようにしている。  また特許文献２では、洗浄水の供給手段及び排出手段のホース類並びに検出手段の信号を伝達する導線類をホースユニットに纏めて着脱できるようにし、装置の人体に対する着脱の際に操作が簡単になるようにしている。またオムツ状部材に相当する構成を柔軟性を持った蛇腹状のそれとすることにより、洗浄水等の漏れを防止している。【０００５】  一方、特許文献１及び２では、送便管や汚物吸引ホース等のホース類がベッドの側方から装置本体に延長されるようになっており、これらの装置を装着する装着対象者にとって煩わしく、更に介護等を行う者にとっても邪魔であり、加えて、これらのホース類の一部が装着対象者の身体の下に入って部分的に潰れてしまうような問題が生じるおそれもある。【０００６】  特許文献３は、本件出願人が提案した排泄物処理装置であり、寝たきりの老人等に装着する便器部と汚物容器とを結合する排出管は、ベッドに開口した穴を通じてベッドの下方に垂下させ、その下端を該汚物容器まで延長するようにしてあり、特許文献１及び２のようにその一部が装着者の身体の下方に位置することとなって、その一部が潰れてしまうような問題が生じる余地がない。また前記排出管は、途中に屈曲自在なジョイント部を備えており、前後左右への屈曲は可能であり、その分の自由度を有しているが、伸縮は不可能であり、その方向への自由度はない。便器部を装着した装着者は、その面で拘束されてしまう問題がある。
【先行技術文献】
【特許文献】
【０００７】
【特許文献１】特公昭６２−１９１７９号公報
【特許文献２】特許第３０７７０８３号公報
【特許文献３】実用新案登録第３１２９２７２号公報
【発明の概要】
【発明が解決しようとする課題】
【０００８】  本発明は、既存の排泄物処理装置の利点を有しながら、更に身体への装着対応部位の装着が容易であり、かつベッド上の装着対象者の身体の拘束度合いが低くなり、身体を動かすことのある程度の自由度を確保できるように構成した落下式自動排泄物処理装置を提供することを解決の課題とする。
【課題を解決するための手段】
【０００９】  本発明の１は、臀部対応位置付近に排便排尿用開口部を備えたおむつカバー部と、  前記おむつカバー部の内面側に配置する帯状ゴムシート部であって、一端部が円形開口を有する円形端部である帯状ゴムシート部、該帯状ゴムシート部の円形端部の円形開口の開口部縁を上端の開口部縁に接合固定した排便管、該排便管の上部内に連通させた送風管及び該送風管の途中に挿入し、先端を該排便管から帯状ゴムシート部側に突き出した送水管で構成した排便受け部と、  前記おむつカバー部の排便排尿用開口部にその内面側から前記排便管を挿入し、前記帯状ゴムシート部を該おむつカバー部の内面の下部側に配した状態で、該排便受け部の帯状ゴムシート部と該おむつカバー部の内面側との間に配する使い捨て用の尿取りパッドと、  この装置の使用者の横たわるベッドに開口した排便穴を通じて該ベッドの下方に垂下させた前記排便受け部の排便管を、該ベッドの下部に結合した上部の漏斗状部に、斜め向き挿入可能かつ昇降自在に挿入可能な排便排尿等導入管であって、下端を汚物容器に接続した排便排尿等導入管と、  該排便排尿等導入管の途中に挿入した弁部であって、落下する使用者の排便、排尿、洗浄排水又は排風をそれらの重量又は圧力を受けてそれらを検出すると共に、開口する弁部と、  前記送水管にポンプ装置を介して接続する加温装置を備えた浄水タンク及び前記送風管に接続する温風発生手段と、  前記弁部が、前記ポンプ装置又は温風発生手段の動作時以外に、開口した場合に、その開口後の一定時間の経過後に、前記送水管に設定量の温浄水を送り出し、その停止後に前記送風管に設定時間温風を送り出すように、前記ポンプ装置及び温風発生手段を制御する制御手段と、で構成した落下式自動排泄物処理装置である。【００１０】  本発明の２は、本発明１の落下式自動排泄物処理装置において、  前記排便排尿等導入管の漏斗状部の上端を、前記ベッドの下部に、該ベッドの起立動作時に、水平に保持すべく、該ベッドに対して相対的に傾斜可能に取り付けたものである。【００１１】  本発明の３は、本発明の１又は２の落下式自動排泄物処理装置において、  前記送水管の途中に、その両側を着脱自在に接続するコネクタを挿入し、該コネクタの一方を、グリップ用筒体と、該グリップ用筒体にその先端から一定距離の後退状態で内装した環状磁石と、該環状磁石に背後から貫通状態に挿入固定した送水管を構成するホース部材とで構成し、該コネクタの他方を、グリップ用筒体と、該グリップ用筒体にその先端から一定距離の進出状態で内装した、前記コネクタの一方の環状磁石と逆極性の環状磁石と、該逆極性の環状磁石に、その背後から前記コネクタの一方のホース部材の貫通分だけ後退した位置まで挿入固定した送水管を構成するホース部材とで構成したものである。
【発明の効果】
【００１２】  本発明の１の落下式自動排泄物処理装置によれば、寝たきりの老人や歩行不能な病人等者に使用してその排便や排尿の処理を自動的にかつ衛生的に行うことができる。【００１３】  本発明の１の落下式自動排泄物処理装置のセットは、対象者の股間に排便受け部と尿取りパッドとを配したおむつカバー部を装着すること、及びベッド下部並びに下方に必要な関係部材等を配置することで行う。以上の排便受け部と尿取りパッドとを配したおむつカバー部の使用対象者への装着は、これをベッドに横たわる該装着対象者の臀部下に挿入し、かつ該おむつカバー部から突出する排便管をベッドに開口した排便穴に挿入し、該おむつカバー部の下部折り返し片を使用対象者の股の間から下腹部側に折り返し、かつ両側の抱持片を側方から下腹部側に折り返して面ファスナーで相互を接合固定し、更に先に股の間から折り返してある下部折り返し片とも面ファスナーで接合固定することで、行う。【００１４】  こうして使用対象者に装着したおむつカバー部は、前記のように、その臀部対応位置付近に開口した排便排尿用開口部から突き出した排便受け部の排便管を、ベッドに開口してある排便穴に挿入してあるが、こうすることにより、その排便管は、予めベッドの下に該排便穴に対応させて取り付けてある排便排尿等導入管の漏斗状部に相対的に昇降自在かつ斜め向き動可能に挿入した状態となっている。前記のように、おむつカバー部を使用対象者に装着することで、装置のセットは完了となる。【００１５】  なお、該排便排尿等導入管の下端が接続する汚物容器、前記排便管の上部に結合する送風管を通じて温風を送り込む温風発生手段、該送風管の途中から前記排便管を通じて装着者の臀部直下に延長した送水管に温浄水を送り込む加温装置を備えた浄水タンク及び制御手段等は、予め前記排便排尿等導入管と共に、ベッドの下部又は下方に配置しておくものとする。【００１６】  本発明の１の落下式自動排泄物処理装置によれば、これを装着した使用者が排尿又は排便をした場合には、排便受け部の排便管を通じてそれらの便等が排便排尿等導入管の上部の漏斗状部に落下し、ここを滑り降りてその途中に配してある弁部に到ると、その重量により弁が開いてその便等は更に下降して汚物容器に落下することになる。弁が開くことで、排便等が行われたことが検出される。その排便等が行われたことの検出から設定時間の経過後に、前記浄水タンクで加温されている温浄水がポンプ装置でくみ上げられ、送水管を通じて送り出され、使用者の尻付近が洗浄され、その洗浄排水は、便等と同様に、排便管、排便排尿等導入管及びその途中の弁部を通じて汚物容器に落下することになる。【００１７】  設定量の温浄水の送り出しが終了した後、前記温風発生手段が動作し、前記送風管を通じて尻付近に温風が送られ、洗浄後の尻周りを乾燥させる。これらの乾燥排風も便等と同様の過程を経て汚物容器に移動し、該汚物容器から臭い成分等を除去された上で排風される。汚物容器にはフィルタを介して排気する排気手段を設けておくこととする。  こうしてこの装置の前記状態にセットしたおむつカバー部を装着した老人等は排便・排尿をした場合も直ちにそれらの汚物が除去され、臀部付近は、常時衛生的に保���れることになる。【００１８】  またこの装置は、前記排便受け部の排便管と前記排便排尿等導入管とが直接固定的に結合しているものではなく、前者の下部が後者の上部である漏斗状部に昇降自在な挿入状態かつ傾斜可能な挿入状態となっているため、排便受け部と尿取りパッドとを配した状態のおむつカバー部を装着した寝たきり老人等は、その身体の動きに極端な制限を受けることがない。それ故、楽な姿勢を維持できる利点を有する。【００１９】  本発明の２の落下式自動排泄物処理装置によれば、ベッド上の老人等の使用者の体位変換のために該ベッドを起こした場合にも、排便排尿等導入管の上部の漏斗状部上端が常に水平状態を保持し得、その結果、最下部の汚物容器との結合状態等に悪影響を与えることがない。【００２０】  本発明の３の落下式自動排泄物処理装置によれば、一方のコネクタと他方のコネクタとの結合が誰でも容易にかつ確実に行えるものであり、そのため浄水タンクの清掃やその交換等を容易に行うことができる。磁石を用いているため、ここを通過する温浄水が磁化処理される利点をも有している。
【図面の簡単な説明】
【００２１】
【図１】実施例の落下式自動排泄物処理装置の、内面側に排便受け部と尿取りパッドとをセットした状態のおむつカバー部の概略平面図。
【図２】図１のＡ−Ａ線拡大断面図。
【図３】(a)は実施例の落下式自動排泄物処理装置の、おむつカバー部の概略平面図、(b)は尿取りパッドの概略平面図、(c)は排便受取部の概略平面図。
【図４】実施例の落下式自動排泄物処理装置の排便受取部の概略断面図。
【図５】実施例の落下式自動排泄物処理装置の、内面側に排便受け部と尿取りパッドとをセットした状態のおむつカバー部を寝たきり老人等に装着した状態の概略平面図。
【図６】実施例の落下式自動排泄物処理装置の、内面側に排便受け部と尿取りパッドとをセットした状態のおむつカバー部を寝たきり老人等に装着した状態の概略側面図。
【図７】実施例の落下式自動排泄物処理装置のおむつカバー部から下方に突出する排便受け部の排便管を下方の排便排尿等導入管の漏斗状部に相対的に昇降自在かつ傾斜起立自在に挿入した状態を示す側面説明図。
【図８】ベッドに設置した実施例の落下式自動排泄物処理装置の使用状態を示す概略側面説明図。
【図９】(a)は実施例の排便排尿等導入管の漏斗状部付近を示す一部切欠概略側面図、(b)は概略正面図。
【図１０】体位変換のためにベッドを傾けた場合の、該ベッドと排便排尿等導入管の漏斗状部の関係を示す概略側面説明図。
【図１１】(a)は送水管の途中に挿入した一方のコネクタと他方のコネクタの分離状態を示す断面図、(b)は接続状態を示す断面図。
【発明を実施するための形態】
【００２２】  発明を実施するための形態を実施例に基づいて説明する。
【００２３】  この実施例の落下式自動排泄物処理装置は、図１、図２及び図８に示すように、老人等の対象者の臀部及び陰部をカバーするおむつカバー部１と、該おむつカバー部１にセットする排便受け部２及び尿取りパッド３と、前記排便受け部２を通じて排出された老人等の対象者の便等を受け取って汚物容器４中に導くための排便排尿等導入管５と、該排便排尿等導入管５の途中に挿入した弁部６と、臀部等の洗浄用の温浄水を保管する浄水タンク７と、洗浄後の臀部等の乾燥に使用する温風を発生させる温風発生手段８と、各部の動作を制御する制御手段９とで構成したものである。
【００２４】  前記おむつカバー部１は、特に図１、図２及び図３(a)に示すように、ほぼ中央部付近に排便排尿用開口部１ｈを有することを除けば、既存のそれと同様の構成であり、該排便排尿用開口部１ｈを有する中央部付近から下方に延長する下部折り返し片１ａ及び該中央部付近から上方に延長して各々両側方に延長した一対の抱持片１ｂ、１ｃを備えたものである。該下部折り返し片１ａの端部側外面には面ファスナー１ａｆが、内面には面ファスナー１ａｉｆが、該抱持片１ｂ（右側）の内面には面ファスナー１ｂｆが、該抱持片１ｃ（左側）の外面には面ファスナー１ｃｆが、該抱持片１ｃの内面には面ファスナー１ｃｉｆが、それぞれ配してある。なお、右側の抱持片１ｂの内面の面ファスナー１ｂｆ及び左側の抱持片１ｃの内面の面ファスナー１ｃｉｆは雄型のそれであり、左側の抱持片１ｃの外面の面ファスナー１ｃｆ及び下部折り返し片１ａの外面の面ファスナー１ａｆ並びに内面の面ファスナー１ａｉｆは雌型のそれである。
【００２５】  また前記おむつカバー部１は、必要な強度を有する水を通さないプラスチックフィルムを用いて構成してある。
【００２６】  前記排便受け部２は、図１、図２、図３(c)及び図４に示すように、前記おむつカバー部１の内面側に接合状態に配置する帯状ゴムシート部２ａと、その一端にその面と直交する向きに結合したプラスチック製の排便管２ｂと、該排便管２ｂの上部内に連通させた送風管８ａ及び該送風管８ａの上部途中から挿入した送水管７ａとで構成したものである。
【００２７】  前記帯状ゴムシート部２ａは、図１及び図３(c)に示すように、一端部を他の部位の幅を越える直径の円形端部２ａ１に構成し、更に該円形端部２ａ１には同心円状に、前記排便管２ｂの内径とほぼ同径の円形開口２ａ２を開口したものとする。該帯状ゴムシート部２の他端部の下面側には前記おむつカバー部１の下部折り返し片１ａの内面側の面ファスナー１ａｉｆと結合するための雄型の面ファスナー２ａｆを配しておくものとする。前記排便管２ｂは、該帯状ゴムシート部２ａに、該円形端部２ａ１で結合する。特に図２、図３(c)及び図４に示すように、該排便管２ｂは、基本的には、ストレートな円筒状部材であるが、最上部の開口部縁のみを徐々に拡開した形状に構成し、このように徐々に拡開した開口部縁２ｂ１に、前記帯状ゴムシート部２ａの円形端部２ａ１の開口部縁を重ね、該円形端部２ａ１の円形開口２ａ２と該排便管２ｂとを軸心を一致させて接合固定する。この接合固定は、この実施例では、接着剤を用いて行った。
【００２８】  前記送風管８ａは、図２、図３(c)及び図４に示すように、その上端を前記排便管２ｂの上部途中に連通状態に結合したホース部材であり、その下端は、図８に示すように、温風発生手段８に接続させたものである。該送風管８ａは、同図に示すように、その途中に脱着自在な雄雌のコネクタ８ａ１、８ａ２を挿入してあり、これによって必要に応じて、該温風発生手段８から外すことができるようになっている。該送風管８ａの上端と前記排便管２ｂとの結合は、特に図２及び図４に示すように、該送風管８ａの上端が該排便管２ｂの上端に向かって開口するように斜め上向きに結合したものとする。
【００２９】  前記送水管７ａは、図２、図４、図７及び図８に示すように、その上部を前記送風管８ａの上部途中に挿入し、その先端を該送風管８ａの上端から前記排便管２ｂ内に突き出させ、更に該排便管２ｂの上端側に向けさせたものであり、該送風管８ａより小径のホース部材である。該送水管７ａは、特に図８に示すように、その下端を浄水タンク７内に配したポンプ装置７ｐに接続したものであり、このポンプ装置７ｐでくみ上げた浄水タンク７内の温浄水をおむつカバー部１内の臀部に送り出すための浄水の供給路である。該送水管７ａの途中には、脱着自在な一方のコネクタ７ａ１及び他方のコネクタ７ａ２が挿入してあり、該送水管７ａは、該一方のコネクタ７ａ１と該他方のコネクタ７ａ２の結合を解除することで該浄水タンク７から外すことができるようになっている。
【００３０】  前記一方のコネクタ７ａ１は、前記送水管７ａの上部側の下端に取り付けるそれであり、図１１(a)、(b)の右側に示したそれである。同図に示すように、該一方のコネクタ７ａ１は、プラスチック製のグリップ用筒体７ａ１１と、該グリップ用筒体７ａ１１にその先端から一定距離の進出状態で内装した環状磁石７ａ１２と、該環状磁石７ａ１２に背後からその途中まで挿入して固定した送水管７ａの上部側とで構成し、また前記他方のコネクタ７ａ２は、図１１(a)、(b)の左側に示したそれであり、これは、プラスチック製のグリップ用筒体７ａ２１と、該グリップ用筒体７ａ２１にその先端から一定距離の後退状態で内装した、前記一方のコネクタ７ａ１の環状磁石７ａ１２と逆極性の環状磁石７ａ２２と、該逆極性の環状磁石７ａ２２に、その背後から前記一方のコネクタ７ａ１の送水管７ａの下部側の後退分だけ進出した位置まで挿入固定したものである。
【００３１】  前記尿取りパッド３は、図１及び図３(b)に示すように、中央に開口部３ａを有する長方形状の帯状部材であり、材質的には既存の一般のそれと全く同等の部材である。該開口部３ａは、前記排便受け部２の排便管２ｂの内径を僅かに越える寸法とする。この尿取りパッド３は、尿、その他の水分を吸収し、使用者の肌に水分による悪影響を与えないようにする趣旨のものであり、一般のそれと同様に、使い捨てのものである。
【００３２】  前記汚物容器４は、図８に示すように、前記排便排尿等導入管５の下端を接続した、便、尿及び洗浄排水の保管用の容器部材である。上部の一部に臭い成分の吸着用のフィルタ付きの排気口４ａが付設してあり、便、尿又は洗浄排水等の導入の際に、その導入をスムーズにしつつ臭い成分が排出されないようにしているものである。乾燥排風を排気できるようにしてあるものでもある。
【００３３】  前記排便排尿等導入管５は、図７、図８及び図９(a)、(b)に示すように、上部の漏斗状部５ａとその下方の直管部５ｂとからなり、下端は前記汚物容器４の上部に連通状態に結合してあるものである。該直管部５ｂの上部途中には弁部６が挿入してあり、通常は、その部位で該直管部５ｂの上下は閉じた状態になっており、該汚物容器４の汚物による悪臭が立ち上ることがないようになっている。前記漏斗状部５ａは、同図に示すように、その最上部の周側部に１８０度の角度間隔で一対のＬ型接続金具５ｃ、５ｃが配してあり、これでベッド１０の下部の所定の部位に結合できるようになっている。
【００３４】  前記一対のＬ型接続金具５ｃ、５ｃは、特に図９(a)、(b)に示すように、その直立部５ｃ１、５ｃ１を漏斗状部５ａの上端周側部に、前記のように、１８０度の角度間隔で、回動自在にピン結合してある。水平部５ｃ２、５ｃ２は、図１０に示すように、ベッド１０の下部に固定状態にピン結合する。また該漏斗状部５ａは、図８に示すように、ベッド１０の中央部付近に開口してある排便穴１０ｈに軸心をほぼ一致させた状態で該ベッド１０の下部に取り付ける。
【００３５】  前記弁部６は、前記し、図７〜図１０に示すように、前記排便排尿等導入管５の直管部５ｂの上部途中に挿入してある弁機構であり、特に図９(a)に示すように、基本的に、該直管部５ｂの上下部分を連通する弁箱６ａと、該弁箱６ａの一側に一端を回動自在に取り付けた板状の弁部材６ｂとで構成したもので、該弁部材６ｂは、通常は、該直管部５ｂの軸心に直交する向きになるように、図示しない付勢手段で、付勢してある。この付勢手段のばね定数は、最小量の便等がこの弁部材６ｂ上に落下してきた場合のその重量又は温風発生手段８からの温風に起因する乾燥排風が流動してきた場合の圧力のいずれか小さい方の力で該弁部材６ｂが下降回動しうる程度に設定しておく。該付勢手段としては、この実施例では、該弁部材６ｂの回動端の回転軸に巻き付けたねじりコイルバネで構成した。
【００３６】  また該弁部材６ｂの回動端には、該弁部材６ｂが一定程度、この実施例では、５０度以上の角度で下降回動した場合に、それを検出する図示しない検出手段を設置しておき、該検出手段の検出した検出信号を図示しない導線を通じて前記制御手段９に送るようにしてある。この検出信号を受け取った場合に、制御手段９は、ベッド上の寝たきり老人等が排便したものと判断することになる。
【００３７】  前記浄水タンク７は、前記し、図８に示すように、温浄水を保管するための容器部材であり、その内部には、この中の温浄水をくみ上げるためのポンプ装置７ｐを備え、かつ導入した浄水を加温するための図示しない加温装置を備えている。ポンプ装置７ｐは、前記した送水管７ａに接続している。
【００３８】  前記温風発生手段８は、図８に示すように、この実施例では、前記浄水タンク７上に設置してあり、前記送風管８ａを通じておむつカバー部１内の臀部に送り出すための温風を作成する手段である。この実施例では、この温風発生手段８は、具体的には、図示しないブロワーと該ブロワーで発生された風を加温する図示しないヒータ手段とで構成したものである。
【００３９】  前記制御手段９は、図８に示すように、この実施例では、汚物容器４上に配置してあり、この制御手段９は、前記弁部６の検出手段が排便を検出し、該検出手段から出力された検出信号を受け取った場合に、その検出信号を受け取ったときから一定時間後、この実施例では、１分３０秒後に、前記浄水タンク７のポンプ装置７ｐに、これを駆動させるべく信号を送り、該ポンプ装置７ｐに１０秒間で３００ｃｃを供給するポンピング動作を行わせ、更に、該ポンプ装置７ｐの１０秒間のポンピング動作の終了後には、前記温風発生手段８を駆動させるべく信号を送り、これを２分間動作させ、その間に温風を送り出させるように構成したものである。なお、前記浄水タンク７の図示しない加温装置については該浄水タンク７中の浄水を設定温度に加温すべく常時動作するように制御する。浄水をどのような温度に加温するかは、装置の管理者が自由に設定することができる。
【００４０】  なお、この実施例の落下式自動排泄物処理装置をセットすることができるベッド１０は、基本的に通常のベッドと異ならないが、その中央部付近に排便穴１０ｈを開口したものであり、かつ前記排便排尿等導入管５の漏斗状部５ａを、前記のように、前記Ｌ型接続金具５ｃ、５ｃを介して該排便穴１０ｈに対応する該ベッド１０の下部に取り付けられるものである必要があり、またそうであれば、セット可能である。
【００４１】  従ってこの実施例の落下式自動排泄物処理装置によれば、以下のように使用し、以下のように優れた効果を発揮することができる。
【００４２】  この装置のおむつカバー部１に排便受け部２及び尿取りパッド３をセットした上で、このおむつカバー部１を対象のベッド１０上に横たわる寝たきり老人等の臀部に装着する。  前記おむつカバー部１は、図３(a)に示すように、内側を上にして広げて置き、その上に、図１に示すように、排便受け部２を配置する。この排便受け部２は、同図に示すように、おむつカバー部１の下部折り返し片１ａの上に、その帯状ゴムシート部２ａを載せながら排便管２ｂを、該おむつカバー部１の排便排尿用開口部１ｈに挿入し、その下方まで貫通させる。そうした上で、前記尿取りパッド３を、その開口部３ａを該排便受け部２の排便管２ｂと相互の軸心を一致させながら、その上に載せ、更に、そうした上で、該排便受け部２の帯状ゴムシート部２ａを該尿取りパッド３の開口部３ａからその上に引き出し、該帯状ゴムシート部２ａを該おむつカバー部１の下部折り返し片１ａの外端側に引っ張り、更に該帯状ゴムシート部２ａの外端外面側の面ファスナー２ａｆを該下部折り返し片１ａの内面の面ファスナー１ａｉｆに接合固定する。
【００４３】  このように内面側に排便受け部２及び尿取りパッド３をセットしたおむつカバー部１を、図５及び図６に示すように、対象のベッド１０上に横たわる寝たきり老人等の臀部に装着する。これは、図１に示すように、内面を上にして広げた、前記準備済みのおむつカバー部１を該寝たきり老人等の臀部下に滑り込ませ、該おむつカバー部１の下部折り返し片１ａ側を該寝たきり老人等の下腹部側に折り返し、更に両側の抱持片１ｂ、１ｃを折り返して、下腹部を抱えるようにする。この実施例では、まず左側の抱持片１ｃを下腹部の下部折り返し片１ａ上に折り返し、前者の内面の面ファスナー１ｃｉｆを下部折り返し片１ａの外面側の面ファスナー１ａｆに接合固定し、更に右側の抱持片１ｂを下腹部上の左側の抱持片１ｃ上に折り返し、前者の内面の面ファスナー１ｂｆを後者の外面側の面ファスナー１ｃｆに接合固定して、装着する。
【００４４】  なお、以上において、前記おむつカバー部１を寝たきり老人等の臀部下に滑り込ませる場合は、同時に、その排便排尿用開口部１ｈから突出垂下する排便受け部２の排便管２ｂを、ベッド１０の中央付近に開口してある排便穴１０ｈに挿入垂下させてしておくものとする。
【００４５】  他方、対象のベッド１０には予めこの落下式自動排泄物処理装置の他の構成要素を設置しておくものとする。図８に示すように、前記ベッド１０の下方に汚物容器４、浄水タンク７、その上の温風発生手段８並びに汚物容器４上の制御手段９をそれぞれ配置し、該汚物容器４から立ち上げた排便排尿等導入管５の上部の漏斗状部５ａは、前記したように、一対のＬ型接続金具５ｃ、５ｃを介して該ベッド１０の下部に取り付ける。該漏斗状部５ａは、該ベッド１０の排便穴１０ｈと相互の軸心をほぼ一致させた状態で、かつ、図７、図８及び図１０に示すように、Ｌ型接続金具５ｃ、５ｃを介して該ベッド１０の長さ方向に、相対的に傾斜可能に取り付ける。
【００４６】  こうして、ベッド１０の排便穴１０ｈに挿入してある排便管２ｂは、このとき、排便排尿等導入管５の最上部の漏斗状部５ａに相対的に昇降自在かつ傾斜可能に挿入状態となる。また該排便管２ｂの上部途中に上端を接続してある送風管８ａ及び該送風管８ａの上部途中からその内部に突き込み、その内部を通じて該排便管２ｂの上端近傍まで延長してある送水管７ａをそれぞれベッド１０の排便穴１０ｈを通じて該ベッド１０の下方に引き出し、該送風管８ａの上部側の下端のコネクタ８ａ１を下部側の上端のコネクタ８ａ２に接続して、温風発生手段８に接続し、かつ該送水管７ａの上部側の下端の一方のコネクタ７ａ１を下部側の上端の他方のコネクタ７ａ２に接続して、浄水タンク７にポンプ装置７ｐを介して接続する。
【００４７】  このようにこの落下式自動排泄物処理装置をセットして用いると、排便受け部２等のセット済みのおむつカバー部１を装着した寝たきり老人等が排尿又は排便をした場合には、それらの便等は、該おむつカバー部１内の排便受け部２の排便管２ｂを通じて前記排便排尿等導入管５上部の漏斗状部５ａに落下し、ここを滑り落ちてその下方の直管部５ｂの上部途中に配してある弁部６に到り、その弁部材６ｂ上に落下することになる。便等が弁部６で弁部材６ｂ上に落下すると、該弁部材６ｂはその重量により下方回動し、その上の便等は、該弁部６の下方の直管部５ｂに沿って落下し、前記汚物容器４中に収容されることになる。排便が継続すれば、いずれも同様の過程を経て、該汚物容器４に収容されることになる。
【００４８】  前記弁部６の弁部材６ｂ上に便等が落下して来て、該弁部材６ｂが所定角度以上、下方回動させられると、これが図示しない検出手段によって検出され、その検出信号が前記制御手段９入力されることになり、そのときから１分３０秒後に、前記浄水タンク７のポンプ装置７ｐに、これを駆動させるべく信号を送り、該ポンプ装置７ｐに１０秒間で３００ｃｃを供給するポンピング動作を行わせる。このポンピング動作で、浄水タンク７中の温浄水は、送水管７ａを通じて前記おむつカバー部１でカバーされた寝たきり老人等の臀部まで送水され、該送水管７ａの先端から該臀部に噴射されることになる。該浄水タンク７の浄水は、常時、加温装置によって所定温度に加温されている。以上の噴射は、前記のように、１０秒間行われ、臀部は洗浄されることになる。洗浄排水は、便等と同様の経路を経て汚物容器４中に収容される。
【００４９】  １０秒間の臀部洗浄の後、制御手段９により、前記温風発生手段８を駆動すべくこれに信号が送られ、これを２分間動作させ、ブロワーとヒータ手段で発生した温風を、前記送風管８ａを通じておむつカバー部１でカバーされた寝たきり老人等の臀部に供給され、該臀部を乾燥させるべく作用する。
【００５０】  なお、前記浄水タンク７のポンプ装置７ｐのポンピング動作又は前記温風発生手段８の温風供給動作が行われている間は、前記弁部６から出力される排便等を検出した旨の検出信号は無視され、温浄水による洗浄排水の流下に起因して該弁部６から発せられる検出信号によって、以上の動作サイクルが更にスタートさせられるようなことがないようになっている。
【００５１】  以上のように、おむつカバー部１内は、下方の排便排尿等導入管５の上部途中の弁部６で排便・排尿が検出されると、すぐに温浄水で洗浄され、更に温風で乾燥させられるので、寝たきり老人等のこの装置の使用者の臀部及び陰部並びにおむつカバー部１内の排便受け部２等は常に衛生的にかつ乾燥状態に保持される。
【００５２】  前記汚物容器４では、以上の動作中に、汚物混じりの洗浄排水がこの中に流下し、その上部のガスを排気口４ａから押し出すことになる。また乾燥風もこの中を通り、該排気口４ａから大気に放出されることになる。このとき、これらのガスは、排気口４ａ中のフィルタで臭い成分が除去されて放出され、外部に臭いをまき散らす虞はない。
【００５３】  また前記おむつカバー部１の下部から突き出し垂下する排便受け部２の排便管２ｂは、汚物容器４から立ち上がる排便排尿等導入管５の上部の漏斗状部５ａ中に、相対的に昇降自在かつ傾斜可能に挿入したものであり、該おむつカバー部１を装着した寝たきり老人等が様々な理由から種々に動いたとしても、該排便管２ｂと該漏斗状部５ａとの結合関係は自由に変更可能であり、不都合を生じない。このおむつカバー部１を装着した寝たきり老人等の装着者は、ある程度の範囲で装着したままで身体を動かすことが可能である。
【産業上の利用可能性】
【００５４】  本発明の落下式自動排泄物処理装置は、福祉機器の製造業の分野等で利用することができる。
【符号の説明】
【００５５】  １    おむつカバー部  １ａ  下部折り返し片  １ａｆ  下部折り返し片の外側の面ファスナー  １ａｉｆ  下部折り返し片の内側の面ファスナー  １ｂ  抱持片（右側）  １ｂｆ  抱持片(右側)の面ファスナー  １ｃ  抱持片（左側）  １ｃｆ  抱持片(左側)の外側の面ファスナー  １ｃｉｆ  抱持片(左側)の内側の面ファスナー  １ｈ  排便排尿用開口部  ２    排便受け部  ２ａ  帯状ゴムシート部  ２ａ１  円形端部  ２ａ２  円形開口  ２ａｆ  帯状ゴムシート部の面ファスナー  ２ｂ  排便管  ２ｂ１  開口部縁  ３  尿取りパッド  ３ａ  開口部  ４    汚物容器  ４ａ  排気口  ５    排便排尿等導入管  ５ａ  漏斗状部  ５ｂ  直管部  ５ｃ  Ｌ型接続金具  ５ｃ１  直立部  ５ｃ２  水平部  ６    弁部  ６ａ  弁箱  ６ｂ  弁部材  ７    浄水タンク  ７ａ  送水管  ７ａ１  一方のコネクタ  ７ａ１１  一方のコネクタのグリップ用筒体  ７ａ１２  一方のコネクタの環状磁石  ７ａ２  他方のコネクタ  ７ａ２１  他方のコネクタのグリップ用筒体  ７ａ２２  他方のコネクタの環状磁石  ７ｐ  ポンプ装置  ８    温風発生手段  ８ａ  送風管  ８ａ１  上部側の送風管の下端のコネクタ  ８ａ２  下部側の送風管の上端のコネクタ  ９    制御手段  １０  ベッド  １０ｈ  排便穴
【図１】
2015008319.tif 000003
【図２】
2015008319.tif 000004
【図３】
2015008319.tif 000005
【図４】
2015008319.tif 000006
【図５】
2015008319.tif 000007
【図６】
2015008319.tif 000008
【図７】
2015008319.tif 000009
【図８】
2015008319.tif 000010
【図９】
2015008319.tif 000011
【図１０】
2015008319.tif 000012
【図１１】
2015008319.tif 000013
【国際調査報告】
2015008319.tif 000014
2015008319.tif 000015
2015008319.tif 000016
2015008319.tif 000017